(57)【要約】【課題】患者情報をより手軽に搬送先の病院等へ送信して適切な治療指示を得つつ搬送患者の救急治療を行うことが可能な航空機用患者情報通信装置を提供する。【解決手段】機内に設置された心電図７１やネットワークカメラ７４と、これらの出力信号を携帯電話通信網用のデータ信号に変換するサーバと、機体に設けられて携帯電話通信網を介してデータ信号により通信先と通信を行うアンテナ８１とを備える。【選択図】        図２
0003170577.tif 000002
【実用新案登録請求の範囲】
【請求項１】
機内に設置された患者情報収集装置と、前記患者情報収集装置の出力信号を携帯電話通信網用のデータ信号に変換するインターフェース回路と、機体に設けられて前記携帯電話通信網を介して前記データ信号により通信先と通信を行うアンテナとを備える航空機用患者情報通信装置。
【請求項２】
機内に設けられて情報通信先を指定する通信先指定手段を備え、前記アンテナは前記通信先指定手段によって指定された通信先との間で通信を行うものである請求項１に記載の航空機用患者情報通信装置。
【請求項３】
前記患者情報収集装置は心電計と機内を撮影するカメラとを含むものである請求項１又は２に記載の航空機用患者情報通信装置。
【考案の詳細な説明】
【技術分野】
【０００１】
本考案は航空機用患者情報通信装置に関する。
【背景技術】
【０００２】
特許文献１には患者に無線心電監視装置を所持させ、携帯電話を上記監視装置に接続して心電図データを異常発生時に医療機関に送信するようにした遠隔監視医療通報システムが開示されている。一方、救急医療員がヘリコプターに搭乗して速やかに現場へ赴き、機内でヘリコプターに装備した機器等を用いて患者に必要な治療を行いつつ、当該患者を速やかに医療機関その他の場所に搬送する救急医療用ヘリコプター、即ちドクターヘリが普及しつつある。
【先行技術文献】
【特許文献】
【０００３】
【特許文献１】特開２０００−６０８０７
【考案の概要】
【考案が解決しようとする課題】
【０００４】
しかし、従来のドクターヘリにおいて、心電図や患者の様子を撮影した画像等の患者情報を、搬送先の病院等へより手軽に送信して、病院側の適切な治療指示を得つつ搬送患者の救急治療を行いたいという要請が高まっている。
【０００５】
そこで本考案はこのような課題を解決するもので、患者情報をより手軽に搬送先の病院等へ送信して適切な治療指示を得つつ搬送患者の救急治療を行うことが可能な航空機用患者情報通信装置を提供することを目的とする。
【課題を解決するための手段】
【０００６】
上記目的を達成するために、本第１考案では、機内に設置された患者情報収集装置（７１，７４）と、前記患者情報収集装置（７１，７４）の出力信号を携帯電話通信網用のデータ信号に変換するインターフェース回路（７５）と、機体に設けられて前記携帯電話通信網を介して前記データ信号により通信先と通信を行うアンテナ（８１）とを備える。
【０００７】
本第１考案においては、インターフェース回路によって、機内に設置された患者情報収集装置の出力信号を携帯電話通信網用のデータ信号に変換して、アンテナによって、携帯電話通信網を介してデータ信号により通信先と通信を行うから、患者情報をより手軽に搬送先病院等の通信先へ送信して適切な治療指示を得つつ搬送患者の救急治療を行うことが可能である。
【０００８】
本第２考案では、機内に設けられて情報通信先を指定する通信先指定手段（７３）を備え、前記アンテナ（８１）は前記通信先指定手段（７３）によって指定された通信先との間で通信を行うものである。
【０００９】
本第２考案においては、通信先指定手段によって搬送先病院等の通信先が指定できるから、よりスムーズな患者情報の送信および適切な治療指示を得ることができる。
【００１０】
本第３考案では、前記患者情報収集装置は心電計（７１）と機内を撮影するカメラ（７４）とを含むものである。
【００１１】
本第３考案においては、心電計の出力信号とカメラの撮影画像によって搬送患者の容態を的確に報知することができる。
【００１２】
上記カッコ内の符号は、後述する実施形態に記載の具体的手段との対応関係を示すものである。
【考案の効果】
【００１３】
以上のように、本考案の航空機用患者情報通信装置によれば、患者情報をより手軽に搬送先病院等へ送信して適切な治療指示を得つつ搬送患者の救急治療を行うことができる。
【図面の簡単な説明】
【００１４】
【図１】本発明の一実施形態を示す、ヘリコプターの平面図である。
【図２】ヘリコプターの側面図である。
【図３】心電計と携帯情報端末を設置した操縦室内の斜視図である。
【図４】ネットワークカメラを設置した操縦室天井部の斜視図である。
【図５】サーバを設置した荷物室の斜視図である。
【図６】アンテナを設置した機体部分の斜視図である。
【図７】患者情報通信装置の電気系統図である。
【考案を実施するための形態】
【００１５】
なお、以下に説明する実施形態はあくまで一例であり、本考案の要旨を逸脱しない範囲で当業者が行う種々の設計的改良も本考案の範囲に含まれる。
【００１６】
図１、図２はいずれも患者情報通信装置を搭載した航空機としてのヘリコプターを示すもので、図１はメインロータを省略したヘリコプターの平面図、図２は乗降扉等を省略したヘリコプターの側面図を示す。図１において、機体前半部（図１の右半部）は幅広になって前端部に左右一対の風防ガラス１１を備えた操縦室１となっている。操縦室１からは後方へテールブーム２が延び、その後端側面にはテールロータ３が設けられるとともに、上下方向へ延びる垂直安定板４１，４２が突設されている。テールブーム２の途中の両側面からは水平方向へ水平安定板５１，５２が突出させてある。
【００１７】
操縦室１の機体底面の左右位置からは斜め下方へそれぞれランディングギア６が突出している。左右の各ランディングギア６は、接地するスキッド６１とこれの前後位置に設けられて機体を支持する支持アーム６２，６３とから構成されている。
【００１８】
操縦室１内には操縦席１２に隣接させて、患者情報収集装置を構成する心電計７１が基台７２（図３）上に載せて設けられている。本実施形態では心電計７１は解析機能付きの多機能心電計で、後部座席１３（図１、図２）に載せられる担架（図示略）上の患者の心電図データや心拍数、ＳｐＯ2、血圧等のバイタルサインからなる患者情報を取得するものである。
【００１９】
操縦席１２の背もたれ背面には通信先指定手段たる携帯情報端末７３が設けてある。携帯情報端末７３は、患者情報通信装置全体の起動および停止、搬送先病院あるいは情報送信先への接続制御を行うとともに、病院等との接続状態を表示し、あるいは送信画像のモニタリングを行うものである。
【００２０】
操縦室１２の天井には患者情報収集装置を構成するネットワークカメラ７４が設けてあり（図４）、これによって患者やその周囲の様子が撮影される。
【００２１】
操縦室１２の後方の荷物室内にはインターフェース回路たるサーバ７５（図５）とこれに電源を供給するＤＣ−ＤＣコンバータ７６が配設されている。サーバ７５は上記心電計７１から出力される患者情報や、ネットワークカメラ７４の画像情報を携帯電話通信網用のデータ信号に変換するとともに暗号化して、データ送信等の制御を行うものである。
【００２２】
図２において、機体の下面にはアンテナ８１が設けられて、携帯電話通信網との間で通信を行うことができるようになっている。アンテナ８１の設置部の詳細を図６に示す。アンテナ８１は長尺な支持部材８２の一端下面に取着されている。支持部材８２は中央上面が長手方向で傾動可能に機体に結合されていて、アンテナ８１が適正な姿勢になるように傾動調整できるようになっている。なお、支持部材８２の他端には無線アンテナ８３が設けられている。
【００２３】
図７には患者情報通信装置の電気系統図を示す。図において、操縦室１内に設けられた計器板用コントローラ７７（図１参照）の電源スイッチ７７１を投入するとＤＣ−ＤＣコンバータ７６に２４Ｖ電源が供給され、当該コンバータ７６で降圧された１２Ｖ電源が心電計７１、ネットワークカメラ７４、およびサーバ７５に供給される。心電計７１およびネットワークカメラ７４は直接サーバ７５に接続されて、心電計７１から出力される患者情報７１ａやネットワークカメラ７４から出力される画像情報７４ａがサーバ７５に入力される。
【００２４】
携帯情報端末７３は付設されたＬＡＮアダプタ７３１を介してサーバ７５に接続されており、患者情報通信装置全体の起動および停止のための信号や、搬送先病院あるいは情報送信先への接続制御信号をサーバ７５に出力する。また、携帯情報端末７３は病院等との接続状態を示す信号をサーバ７５から受けてこれを表示し、あるいはサーバ７５からフィードバックされる上記画像情報を表示してそのモニタリングを行えるようになっている。
【００２５】
サーバ７５は上記心電計７１から出力される患者情報７１ａや、ネットワークカメラ７４の画像情報７４ａを携帯電話通信網用のデータ信号に変換するとともに暗号化し、インターフェースカード７５１を介してこれに接続されたアンテナ８１により、携帯電話通信網との間でデータ信号の授受を行う。
【００２６】
このようにして、搬送患者の患者情報をより手軽に地上の搬送先病院等へ送信することができるとともに、搬送先病院等から適切な治療指示を得つつ機内の搬送患者の救急治療を行うことができる。
【符号の説明】
【００２７】
１…操縦室、７１…心電計（患者情報収集装置）、７３…携帯情報端末（通信先指定手段）、７４…ネットワークカメラ（患者情報収集装置）７５…サーバ（インターフェース回路）、８１…アンテナ。
【図１】
0003170577.tif 000003
【図２】
0003170577.tif 000004
【図３】
0003170577.tif 000005
【図４】
0003170577.tif 000006
【図５】
0003170577.tif 000007
【図６】
0003170577.tif 000008
【図７】
0003170577.tif 000009